(57)【要約】【課題】紛失のおそれ、転写面が見難くなること、及び開閉により塗膜面に傷つけることがなく、耐久性に優れ、スムースに開閉することができ、かつ、転写ヘッド先端部の前方も覆うことができる転写ヘッドカバーであって、転写ヘッドカバーを設けることにより塗膜転写具が大型化することもない転写ヘッドカバーを有する塗膜転写具の提供。【解決手段】不使用時に少なくとも転写ヘッドの先端部の前方を覆うスライド式の転写ヘッドカバーが設けられ、転写ヘッドカバーを後方から前方へスライド移動させると、転写ヘッドカバーに設けられた前部カバーが転写ヘッドに近づく方向に移動して、前部カバーが少なくとも転写ヘッド先端部の前方を覆う塗膜転写具。【選択図】図１
2020089982.tif 000002
【特許請求の範囲】
【請求項１】
前端に開口部を有するケース内に供給リールと巻取リールを有し、前記開口部より転写ヘッドを突出させ、前記供給リールに巻回した基材の片面に塗膜を有する転写テープを繰り出し、前記転写ヘッドの先端部で前記転写テープから前記塗膜を被転写面に転写した後、前記転写ヘッドの先端部で反転させた前記転写テープを前記巻取リールに巻き取るようにした塗膜転写具において、
前記ケースに対してスライド移動可能な転写ヘッドカバーを前記供給リールから前記転写ヘッドに繰り出す間の前記転写テープを覆う位置に設け、前記転写ヘッドカバーは少なくともスライド板と前部カバーを有し、前記スライド板は前記ケースに対して、前記転写ヘッドの突出方向へスライド移動可能な板状部材であり、
前記前部カバーは前記スライド板のスライド移動方向における前記転写ヘッド側の一端部又は一端部近傍において、前記転写ヘッド側に向けて前記スライド板から突出する部材であり、前記転写ヘッドカバーのスライド移動方向の前記転写ヘッド突出側を前方、前記転写ヘッド突出方向の逆側を後方とし、前記転写ヘッドカバーを前記後方から前記前方へスライド移動させると、前記前部カバーが前記転写ヘッドに近づく方向に移動して、前記前部カバーが少なくとも前記転写ヘッド先端部の前方を覆うことを特徴とする塗膜転写具。
【請求項２】
前記前部カバーが前記転写ヘッド先端部の前方を覆っている状態で、前記転写ヘッドカバーを押圧すると、前記前部カバーが前記転写ヘッドから遠ざかり、前記スライド板のスライド時に前記転写ヘッドと干渉しない位置まで前記前部カバーが移動することを特徴とする請求項１に記載の塗膜転写具。
【請求項３】
前記スライド板は当該スライド板の前記前方の端部と前記後方の端部間に回転中心を有し、前記前部カバーが前記転写ヘッド先端部の前方を覆っている状態で、前記スライド板の前記回転中心よりも前記後方側を前記ケースに近づく方向に向かって押圧することにより前記スライド板が弾性変形して、前記スライド板の前記回転中心よりも前記前方側は前記ケースから遠ざかり、前記スライド板のスライド時に前記転写ヘッドと干渉しない位置まで前記前部カバーが移動し、前記スライド板の前記押圧を解除すると前記スライド板の弾性変形の復元力により、前記スライド板のスライド時に前記転写ヘッドと干渉する位置まで前記前部カバーが移動し、前記前部カバーが少なくとも前記転写ヘッドの先端部の前方を覆うことを特徴とする請求項１又は請求項２に記載の塗膜転写具。
【請求項４】
前記転写ヘッドカバーをスライド移動するために前記スライド板の前記回転中心よりも前記後方側を前記ケースに近づく方向へ押圧して前記スライド板を弾性変形させて、前記スライド板のスライド時に前記前部カバーが前記転写ヘッドと干渉しない位置まで移動した状態のまま、前記転写ヘッドカバーを前記前方から前記後方へスライド移動すると、前記スライド板の弾性変形が解除され、前記スライド板の前記押圧を解除しても、前記スライド板のスライド時に前記前部カバーが前記転写ヘッドと干渉しない位置まで前記前部カバーが移動した状態が維持されることを特徴とする請求項１〜請求項３のいずれかに記載の塗膜転写具。
【請求項５】
前記転写ヘッドカバーが前記後方にあり前記スライド板の前記弾性変形が解除された状態で、前記スライド板の前記回転中心よりも前記後方側を前記ケースに近づく方向へ押圧しつつ前記スライド板を前記前方へスライド移動することにより、前記スライド板が弾性変形し、前記スライド板への押圧を解除すると前記スライド板の弾性変形による復元力により、前記スライド板のスライド時に前記前部カバーが前記転写ヘッドと干渉する位置まで移動することを特徴とする請求項１〜請求項４のいずれかに記載の塗膜転写具。
【請求項６】
前記前部カバーが前記転写ヘッド先端部の前方を覆う状態において、前記転写ヘッドに設けた係合部と前記転写ヘッドカバーに設けた係合部が係合して、前記転写ヘッドと前記転写ヘッドカバーが係合固定され、前記スライド板の弾性変形に伴って、前記ヘッドカバーの前記前方側の一端部が前記ケースから遠ざかる方向に移動して、前記前部カバーが前記転写ヘッドの前記先端部を覆う位置から離脱すると、前記転写ヘッドに設けた係合部と前記転写ヘッドカバーに設けた係合部の係合が解除されることを特徴とする第請求項１〜請求項５のいずれかに記載の塗膜転写具。
【請求項７】
前記前部カバーが前記転写ヘッド先端部の前方を覆う状態にあるときに前記転写ヘッド以外の部材の係合部と係合する係合部であって、前記スライド板の弾性変形によって前記転写ヘッド以外の部材との係合が解除される係合部を、前記転写ヘッドカバーがさらに有することを特徴とする請求項６に記載の塗膜転写具。
【発明の詳細な説明】
【技術分野】
【０００１】
本発明は、文字修正用塗膜、接着用の粘着剤塗膜、装飾用塗膜等を被転写面に押圧転写するための塗膜転写具の技術分野に属し、特に、塗膜を転写する転写押圧部上の転写テープを保護する転写ヘッドカバーを有する塗膜転写具の技術分野に属する。
【背景技術】
【０００２】
塗膜転写具は、一般に、ケ−ス部分から突出した転写ヘッドに掛け回したテ−プの外面に塗布された粘着剤や修正インクなどの塗膜を、紙などの被転写面へ転写するようになっている。そのため塗膜が外部に露出しており、不使用時に塗膜が破損しやすく、またゴミが付着しやすくなっている。
【０００３】
塗膜の破損やゴミの付着を防止するために、従来から特許文献１と２のようなカセットの外周面上をスライドできるカバーを設けて、不使用時に転写ヘッドに掛け回された塗膜を保護する塗膜転写具や、特許文献３のような転写ヘッドを覆う着脱可能な保護キャップを設けた塗膜転写具や、特許文献４のような、保護カバーをカセットの外周上の支軸まわりに回転可能に設けて、不使用時に転写ヘッドに掛け回されたテープの塗膜を保護する塗膜転写具が、提案されてきた。
【０００４】
しかし、特許文献１のカセットの外周面上をスライドして、転写ヘッド上の塗膜を覆う板状の転写ヘッドカバー、特許文献２の同じくカセットの先端部分をスライドして、転写ヘッドの周囲を覆う筒状の転写ヘッドカバーは、いずれも転写ヘッド先端部の前方を覆うことはできず、塗膜の保護や塗膜へのゴミ付着の防止には十分なものではなかった。
【０００５】
特許文献４のカセット外周上の支軸回りに回転して、転写ヘッド上の塗膜を覆う板状の転写ヘッドカバーは、開けた時に塗膜転写具の外形面から飛び出す為、転写面が見難くなったり、開閉時に誤って転写ヘッド付近のテープの塗膜面に指が触れて塗膜が剥離したり、塗膜を傷つけることがあった。
【０００６】
また、特許文献３記載の取り外しタイプの転写ヘッドキャップは、転写ヘッドを完全に覆う形状のものを製作することは可能だが、取り外したキャップ自身を紛失する可能性があった。
【０００７】
このような問題点を解決するものとして、特許文献５の塗膜転写具Ｘが提案されている。塗膜転写具Ｘは、スライド自在に設けた対向する一対の転写ヘッドカバーを有し、転写ヘッドカバーが転写ヘッド方向へ前出した位置で、転写ヘッドカバーが組み合わされて、転写ヘッドを覆うことを特徴とするものである。塗膜転写具Ｘでは、一対の転写ヘッドカバーが組み合わされて転写ヘッドを覆うので、転写ヘッド先端部前方も覆う形状とすることが可能であるとともに、転写ヘッドカバーが塗膜転写具から取り外されないので、転写ヘッドカバーを紛失することもない。
【０００８】
また、塗膜転写具Ｘでは、一対の転写ヘッドカバーの一方をスライドさせることにより、他方が連動してスライドする構造も提案されている。このため、それぞれの転写ヘッドカバーを別々に動かさなくても、一方の転写ヘッドカバーを動かすだけで、転写ヘッドカバーを確実に開閉することができるようになっている。
【０００９】
塗膜転写具Ｘでは、一対の転写ヘッドカバーを連動させるための連動機構として、リンク機構やカム機構などが使用されている。しかしながら、リンク機構やカム機構などで連動機構を製作した場合には、耐久性や一対の転写ヘッドカバーの動きにずれが生じるという問題があった。一対の転写ヘッドカバーを連動させるには、移動する転写ヘッドカバーが他方の転写ヘッドカバーを押して、両方の転写ヘッドカバーが同時に移動する構造とする必要がある。そのためには、移動する転写ヘッドカバーと他方の転写ヘッドカバーが摺動する必要がある。
【００１０】
しかしながら、成形品等で製作された転写ヘッドカバーを頻繁に摺動させると、摺動面が削られてスムースに摺動できなくなるという問題があった。また、一対の転写ヘッドカバーをスムースに摺動させるためには、摺動面に必要最小限の「がた」を設ける必要がある。ところが、一方の転写ヘッドカバーを転写ヘッド方向に前進させた場合に、この「がた」が影響して、他方の転写ヘッドカバーが前進しきらず、転写ヘッドカバー間に隙間が発生するという問題もあった。この「がた」による問題は、前記のように摺動面が削られた場合には、より顕著になる。これらの問題を解決するためには、連動機構の摺動面や回転部にベアリング等の摩擦や回転抵抗を低減する部品を組み込むか、あるいは滑りを良くするための潤滑剤を塗るなどの方法が考えられる。しかしながら、ベアリング等の部品を組み込むと、部品点数が増え機構が複雑になり、潤滑剤を使用すると、潤滑剤が漏れて転写テープや使用者の手を汚すなど別の問題が生じる。
【００１１】
このような塗膜転写具Ｘの転写ヘッドカバーの問題点を解決するものとして、特許文献６の塗膜転写具が提案されている。特許文献６では、転写テープの繰出部と巻取部等を保持し、塗膜を転写する転写押圧部（転写ヘッド）を外部へ突出する開口部を有するカセットケースと、一対の対向する薄板部が一体に設けられた移動ケースからなる塗膜転写具が提案されている。特許文献６の塗膜転写具では、移動ケースがカセットケース内の第一位置と第二位置の間を移動可能であり、移動ケースを第二位置から第一位置へ移動することにより、一対の対向する薄板部が開口部から突出して、一対の対向する薄板部の一方が転写押圧部上の塗膜を転写する前の転写テープを覆い、他方の薄板部が塗膜を転写後の基材テープを覆い、一対の対向する薄板部が転写押圧部前方で互いに近接するようになっている。
【００１２】
特許文献６の塗膜転写具では、転写ヘッドカバーをこのような構造とすることにより、塗膜転写具Ｘに比べて、複雑な機構や潤滑剤を使用しなくても、耐久性に優れ、スムースに開閉することができる一対の連動する転写ヘッドカバーを提供することができる。
【００１３】
しかしながら、特許文献６の塗膜転写具は、塗膜転写具Ｘよりは簡単な構造とすることができるが、転写ヘッドカバーを設けることにより塗膜転写具全体が大きくなるという問題があった。特に小型の塗膜転写具では、転写ヘッドカバーを設けることにより、転写ヘッドカバーを設けないカセットに比べて、塗膜転写具が非常に大きくなるという問題があった。
【先行技術文献】
【特許文献】
【００１４】
【特許文献１】特開２００３−３２０７９２号公報
【特許文献２】特開２００４−２６８３２２号公報
【特許文献３】特開２００４−２８４１７９号公報
【特許文献４】特開２００９−２８５８８４号公報
【特許文献５】特開２０１１−２５５５５３号公報
【特許文献６】特開２０１７−０８７５７６号公報
【発明の概要】
【発明が解決しようとする課題】
【００１５】
本発明は上記のような事情に鑑みてなされたものであり、本発明が解決しようとする課題は、取り外すことによる紛失のおそれがなく、転写面が見難くなったり、開閉時に誤ってテープの塗膜面に触れて塗膜が剥離したり傷つけることがない転写ヘッドカバーであって、転写ヘッドカバーを設けることにより塗膜転写具が大型化することがなく、耐久性に優れ、スムースに開閉することができ、かつ、不使用時に転写ヘッドに掛け回されたテープの塗膜だけでなく、転写ヘッド先端部の前方も確実に覆うことができる転写ヘッドカバーを有する塗膜転写具を提供することである。
【課題を解決するための手段】
【００１６】
第１発明は、前端に開口部を有するケース内に供給リールと巻取リールを有し、前記開口部より転写ヘッドを突出させ、前記供給リールに巻回した基材の片面に塗膜を有する転写テープを繰り出し、前記転写ヘッドの先端部で前記転写テープから前記塗膜を被転写面に転写した後、前記転写ヘッドの先端部で反転させた前記転写テープを前記巻取リールに巻き取るようにした塗膜転写具において、
前記ケースに対してスライド移動可能な転写ヘッドカバーを前記供給リールから前記転写ヘッドに繰り出す間の前記転写テープを覆う位置に設け、前記転写ヘッドカバーは少なくともスライド板と前部カバーを有し、前記スライド板は前記ケースに対して、前記転写ヘッドの突出方向へスライド移動可能な板状部材であり、
前記前部カバーは前記スライド板のスライド移動方向における前記転写ヘッド側の一端部又は一端部近傍において、前記転写ヘッド側に向けて前記スライド板から突出する部材であり、前記転写ヘッドカバーのスライド移動方向の前記転写ヘッド突出側を前方、前記転写ヘッド突出方向の逆側を後方とし、前記転写ヘッドカバーを前記後方から前記前方へスライド移動させると、前記前部カバーが前記転写ヘッドに近づく方向に移動して、前記前部カバーが少なくとも前記転写ヘッド先端部の前方を覆うことを特徴とする塗膜転写具である。
【００１７】
第２発明は、前記前部カバーが前記転写ヘッド先端部の前方を覆っている状態で、前記転写ヘッドカバーを押圧すると、前記前部カバーが前記転写ヘッドから遠ざかり、前記スライド板のスライド時に前記転写ヘッドと干渉しない位置まで前記前部カバーが移動することを特徴とする第１発明に記載の塗膜転写具である。
【００１８】
第３発明は、前記スライド板は当該スライド板の前記前方の端部と前記後方の端部間に回転中心を有し、前記前部カバーが前記転写ヘッド先端部の前方を覆っている状態で、
前記スライド板の前記回転中心よりも前記後方側を前記ケースに近づく方向に向かって押圧することにより前記スライド板が弾性変形して、前記スライド板の前記回転中心よりも前記前方側は前記ケースから遠ざかり、前記スライド板のスライド時に前記転写ヘッドと干渉しない位置まで前記前部カバーが移動し、前記スライド板の前記押圧を解除すると前記スライド板の弾性変形の復元力により、前記スライド板のスライド時に前記転写ヘッドと干渉する位置まで前記前部カバーが移動し、前記前部カバーが少なくとも前記転写ヘッドの先端部の前方を覆うことを特徴とする第１発明又は第２発明に記載の塗膜転写具である。
【００１９】
第４発明は、前記転写ヘッドカバーをスライド移動するために前記スライド板の前記回転中心よりも前記後方側を前記ケースに近づく方向へ押圧して前記スライド板を弾性変形させて、前記スライド板のスライド時に前記前部カバーが前記転写ヘッドと干渉しない位置まで移動した状態のまま、前記転写ヘッドカバーを前記前方から前記後方へスライド移動すると、前記スライド板の弾性変形が解除され、前記スライド板の前記押圧を解除しても、前記スライド板のスライド時に前記前部カバーが前記転写ヘッドと干渉しない位置まで前記前部カバーが移動した状態が維持されることを特徴とする第１発明〜第３発明のいずれかに記載の塗膜転写具である。
【００２０】
第５発明は、前記転写ヘッドカバーが前記後方にあり前記スライド板の前記弾性変形が解除された状態で、前記スライド板の前記回転中心よりも前記後方側を前記ケースに近づく方向へ押圧しつつ前記スライド板を前記前方へスライド移動することにより、前記スライド板が弾性変形し、前記スライド板への押圧を解除すると前記スライド板の弾性変形による復元力により、前記スライド板のスライド時に前記前部カバーが前記転写ヘッドと干渉する位置まで移動することを特徴とする第１発明〜第４発明のいずれかに記載の塗膜転写具である。
【００２１】
第６発明は、前記前部カバーが前記転写ヘッド先端部の前方を覆う状態において、前記転写ヘッドに設けた係合部と前記転写ヘッドカバーに設けた係合部が係合して、前記転写ヘッドと前記転写ヘッドカバーが係合固定され、前記スライド板の弾性変形に伴って、前記ヘッドカバーの前記前方側の一端部が前記ケースから遠ざかる方向に移動して、前記前部カバーが前記転写ヘッドの前記先端部を覆う位置から離脱すると、前記転写ヘッドに設けた係合部と前記転写ヘッドカバーに設けた係合部の係合が解除されることを特徴とする第１発明〜第５発明のいずれかに記載の塗膜転写具である。
【００２２】
第７発明は、前記前部カバーが前記転写ヘッド先端部の前方を覆う状態にあるときに前記転写ヘッド以外の部材の係合部と係合する係合部であって、前記スライド板の弾性変形によって前記転写ヘッド以外の部材との係合が解除される係合部を、前記転写ヘッドカバーがさらに有することを特徴とする第６発明に記載の塗膜転写具である。
【発明の効果】
【００２３】
本発明の塗膜転写具は、不使用時に少なくとも転写ヘッドの先端部の前方を覆うスライド式の転写ヘッドカバーが設けられ、転写ヘッドカバーを後方から前方へスライド移動させると、転写ヘッドカバーに設けられた前部カバーが転写ヘッドに近づく方向に移動して、前部カバーが少なくとも転写ヘッド先端部の前方を覆う。このため、本発明の塗膜転写具では、一方に設けたスライド式の転写ヘッドカバーだけで、不使用時に転写ヘッドに掛け回されたテープの塗膜だけでなく、転写ヘッド先端部の前方を確実に覆うことができる。また、本発明の塗膜転写具の転写ヘッドカバーは、一方に設けたスライド式の転写ヘッドカバーだけ構成されるので、転写ヘッドカバーを取り外すことによる紛失のおそれがなく、使用時に転写面が見難くなるおそれもなく、開閉時に誤ってテープの塗膜面に触れて塗膜が剥離することや傷つけるおそれもない。また、同様に、本発明では、転写ヘッドカバーを設けることにより塗膜転写具が大型化することがなく、耐久性に優れ、スムースに開閉することができる転写ヘッドカバーを有する塗膜転写具を提供することができる。
【図面の簡単な説明】
【００２４】
【図１】本発明の第１実施形態の塗膜転写具Ａを示す。
【図２】本発明第１実施形態の転写ヘッドカバー単体を示す。
【図３】塗膜転写具Ａの転写ヘッドカバーを図１よりも前方に移動した状態を示す図。（転写ヘッドカバー１の突起部１ＢＣが、下ケース５及び／又は上ケース６に設けられた壁に乗り上げる直前の状態を示す。）
【図４】塗膜転写具Ａの転写ヘッドカバー１が転写ヘッド先端部の前方を覆っている状態を示す。
【図５】図４の状態の塗膜転写具Ａにおいて、転写ヘッドカバー１の指掛部１Ｃに指を当て、支軸１ＢＡよりも後方側に力が作用するようにして、転写ヘッドカバー１を弾性変形させた状態を示す。
【発明を実施するための形態】
【００２５】
図１に、本発明の第１実施形態の塗膜転写具Ａを示す。図１（ａ）は上ケースを取外した状態の正面図である。図１（ｂ）は図１（ａ）のＹ−Ｙ断面図である。図１（ｃ）は塗膜転写具Ａの底面図である。ただし、図１（ｂ）と図１（ｃ）は上ケースを取り付けた状態を示している。
【００２６】
塗膜転写具Ａは、下ケース５、上ケース６、塗膜を基材テープ上に塗工した転写テ−プＴ、転写テープＴを繰出コア２に巻き回した供給リール、転写テープＴに塗工された塗膜を紙等の被転写面に転写するためにケース５の開口部より突出した転写ヘッド４、塗膜を転写した後の基材テ−プを巻取コア３に巻き取った巻取リール、繰出コア２と巻取コア３に設けられたプーリーに掛け回され、繰出コア２の回転を巻取コア３に伝えるベルト７、及び転写ヘッドカバー１で構成されるものである。
【００２７】
塗膜転写具Ａでは、繰出コア２の回転を巻取コア３に伝える伝達方法としてベルト７を使用しているが、ギヤ等による伝達も可能であり、特に制限はない。また、塗膜転写具Ａでは、繰り出し側と巻き取り側の周速差を吸収するスリップ機構もベルト７と、繰出コア２に設けられたプーリーと巻取コア３に設けられたプーリー間のスベリを利用しているが、スリップリング、コイルスプリング、樹脂バネ等によるスベリ機構も利用可能であり、特にその方法を制限するものではない。
【００２８】
塗膜転写具Ａでは、転写ヘッド４の先端部で転写テープＴを、紙などの被転写面に押圧しつつ、塗膜転写具Ａを移動させると、転写テープＴから塗膜が被転写面に転写されつつ、転写テープＴが繰出コア２から繰り出される。繰出コア２から転写テープＴが繰り出されることによって、繰出コア２が回転すると繰出コア２のプーリーに掛けまわされたベルト７もプーリーの回転に伴って移動する。ベルト７が移動することによって、繰出コア２の回転が巻取コア３に伝えられ、巻取コア３が回転する。プーリーによって伝えられた回転によって、転写ヘッド４で塗膜が転写された残りの転写テープＴを巻取コア３が巻き取って、転写テープＴが弛むことなく走行される。塗膜転写具Ａでは、巻取コア３が巻き取る転写テープＴの長さが、繰出コア２から繰り出される転写テープＴよりも長くなるように設定されているので、転写テープが弛むことがない。また、転写テープＴの巻き取り長さと繰り出し長さの差は、巻取コア３のプーリーとベルト７が滑ることによって吸収されるので、転写テープＴが引っ張られて切れることもない。
【００２９】
図２に転写ヘッドカバー１単体の形状を示す。図２（ａ）は転写ヘッドカバー１を塗膜転写具Ａの下ケース５と上ケース６にセットしたときに、塗膜転写具Ａの内面側となる方向から見た図である。図２（ｂ）、図２（ｃ）は、図２（ａ）を正面図としたときの、それぞれ底面図と背面図である。転写ヘッドカバー１は、転写ヘッド４の先端部を覆う前部カバー１Ａが、下ケース５と上ケース６に対してスライドするスライド板１Ｂに一体に設けられている。前部カバー１Ａは、転写ヘッドカバー１が前方へスライド移動したときに、転写ヘッド４の先端部前方を覆うものである。転写ヘッドカバー１が大きくならないようにするため、前部カバー１Ａはスライド板１Ｂから略直角に突出することが好ましい。転写ヘッドカバー１は、図２に示す中心線を基準として、対称な形状とすることが好ましい。
【００３０】
スライド板１Ｂには、２本の支軸１ＢＡと２本の摺動軸１ＢＢが設けられている。２本の支軸１ＢＡと２本の摺動軸１ＢＢは、それぞれ前記中央線を基準として、対称に設けられることが好ましい。支軸１ＢＡと摺動軸１ＢＢのそれぞれ１方を、図１に示す下ケース５に設けられた摺動溝５Ａに挿入することによって、転写ヘッドカバー１が下ケース５に装着される。転写ヘッドカバー１を下ケース５に装着する際には、図１に示すように、前部カバー１Ａが転写ヘッド４側で、かつ前部カバー１Ａが転写ヘッド４方向に向かって突出するように、転写ヘッドカバー１を装着する。
【００３１】
上ケース６にも、図１（ｂ）に示す下ケース５と上ケース６を組み合わせた際の接合面を基準として、下ケース５に設けられた摺動溝５Ａと対称の形状である摺動溝６Ａが設けられる。転写ヘッドカバー１が装着された下ケース５に、上ケース６を装着することによって、もう１方の支軸１ＢＡと摺動軸１ＢＢが摺動溝６Ａに挿入される。
【００３２】
支軸１ＢＡと摺動軸１ＢＢの外径は摺動溝５Ａ、６Ａの幅よりも僅かに小さくなっており、支軸１ＢＡと摺動軸１ＢＢは摺動溝５Ａ、６Ａ内を滑りながら移動可能となっているため、摺動溝５Ａ、６Ａに沿って、転写ヘッドカバー１はスライド移動可能となっている。
【００３３】
摺動軸１ＢＢが設けられるスライド板１Ｂの後端部は、図２に示すように、２本のスリットにより、摺動軸１ＢＢが設けられている両端部と中央部に分離され、中央部のみに転写ヘッドカバー１が下ケース５に装着された際に、下ケース５の内側に向かって突出する突起部１ＢＣが設けられている。以下、転写ヘッドカバー１の摺動方向及び転写ヘッドカバーの形状については、前部カバー側を前方、突起部１ＢＣ側を後方とする。
【００３４】
図１は、転写ヘッドカバー１が後方にあって、転写ヘッド４が転写ヘッドカバー１により保護されていないとともに、転写ヘッドカバー１の摺動軸１ＢＢが下ケース５の係合軸５Ｂ、上ケースの係合軸６Ｂと係合して、後方で転写ヘッドカバー１が仮固定された状態となっている。図３は、転写ヘッドカバー１を図１の状態から前方へ移動させた状態の塗膜転写具Ａの上ケース６を取外した状態の正面図である。図１の状態から図３の状態まで、転写ヘッドカバー１を移動しようとすると、摺動軸１ＢＢが係合軸５Ｂ、６Ｂを乗り越える必要がある。前記のように摺動軸１ＢＢが設けられた転写ヘッドカバー１の後端部はスリットにより３分割されているので、摺動軸１ＢＢが設けられた部分は転写ヘッドカバー１の他の部分から独立して弾性変形することができる。したがって、塗膜転写具Ａでは、転写ヘッドカバー１の摺動軸１ＢＢが設けられた部分の弾性を調節することによって、比較的弱い力で塗膜転写具Ａを図１の状態から図３の状態、或いは図３の状態から図１の状態に変更できるようにするとともに、図１の状態で塗膜転写具Ａを使用して塗膜転写している最中に転写ヘッドカバー１が図１の状態から不意に移動して、使用者の塗膜転写の邪魔をすることがないようにしている。
【００３５】
塗膜転写具Ａでは、転写ヘッドカバー１の支軸１ＢＡを挟んで前後の両方に、断面形状が略三角形の突起を設けている。この略三角形の突起は、転写ヘッドカバー１を塗膜転写具Ａに装着した際に外側に突出する。この形状は使用者が、転写ヘッドカバー１を前後方へ移動させる際に指掛部１Ｃとなって、移動が容易になるように設けた形状である。指掛部１Ｃの形状は、本実施形態の形状に限定されるものではなく、転写ヘッドカバー１への指掛が容易となる形状であれば、どのような形状でもよい。使用者は、この指掛部１Ｃに指を当てて、転写ヘッドカバー１を前方へ押すことで、転写ヘッドカバー１を図１の状態から図３の状態に容易に移動することができる。このため、塗膜転写具Ａでは、使用者が転写ヘッドカバー１を移動させるために、誤って転写ヘッド４に触れることはなく、テープの塗膜面に触れて塗膜が剥離することや傷つけるおそれもない。また、塗膜転写具Ａでは、転写ヘッドカバー１はスライド移動するタイプのものであり、ほぼ１枚のスライド板１Ｂとスライド板１Ｂからケースの内部方向に突出した前部カバー１Ａのみで構成されるため、転写ヘッドカバー１を設けることによって、使用時に転写面が見難くなるおそれもなく、塗膜転写具が大型化することもない。
【００３６】
転写ヘッドカバー１が図１の状態から図３の状態に移動する間は、転写ヘッドカバー１の突起部１ＢＣが他の部品と干渉することがないよう、塗膜転写具Ａでは、下ケース５及び／又は上ケース６の突起部１ＢＣと干渉する部分には、壁が設けられていない。一方、転写ヘッドカバー１が図１の状態から図３の状態に移動する間は、摺動軸１ＢＢ、支軸１ＢＡは、ともに摺動溝５Ａ、６Ａから外れることがないよう、下ケース５と上ケース６の摺動溝５Ａ、６Ａ内に挟まれた状態で移動する。
【００３７】
図３の状態よりもさらに、転写ヘッドカバー１を前方側へ移動しようとすると、塗膜転写具Ａでは、転写ヘッドカバー１の突起部１ＢＣと干渉する壁５Ｃ及び／又は６Ｃが、下ケース５及び／又は上ケース６に設けられている。一方、図３の状態よりもさらに、転写ヘッドカバー１を前方に移動すると、摺動軸１ＢＢが挿入されている摺動溝５Ａと摺動溝６Ａを構成する２枚の壁のうち、外側の壁５Ｄ及び／又は６Ｄが無くなる。転写ヘッドカバーを図３の状態よりもさらに前方へ移動すると、塗膜転写具Ａは図４の状態になり、転写ヘッドカバー１の突起部１ＢＣは、下ケース５及び／又は上ケース６に設けられた壁５Ｃ及び／又は６Ｃに乗り上げる。一方、図４に示すように、摺動軸１ＢＢが挿入されている摺動溝５Ａと摺動溝６Ａの溝を構成する２枚の壁のうち外側の壁５Ｄ及び／又は６Ｄが無くなるので、摺動軸１ＢＢは、下ケース５及び上ケース６の外側に向かって移動可能となる。また、突起部１ＢＣには傾斜面１ＢＣＡが設けられており、転写ヘッドカバー１を図３の状態よりもさらに前方側へ移動して、塗膜転写具Ａを図４の状態にしようとすると、突起部１ＢＣは傾斜面１ＢＣＡに沿って、容易に下ケース５及び／又は上ケース６に設けられた壁５Ｃ及び／又は６Ｃに乗り上げる。この結果、図３の状態よりもさらに、転写ヘッドカバー１を前方側へ移動し図４の状態にすると、突起部１ＢＣ及び摺動軸１ＢＢが設けられた転写ヘッドカバー１の後端部は、下ケース５及び上ケース６の外側に向かって移動する。
【００３８】
図３の状態からさらに、転写ヘッドカバー１を前方側へ移動して、塗膜転写具Ａを図４の状態にする過程で、支軸１ＢＡは常に摺動溝５Ａと摺動溝６Ａの溝の間で摺動するようになっている。また、塗膜転写具Ａが図４の状態になると、転写ヘッドカバー１の支軸１ＢＡより前方側には、転写ヘッドカバー１が、下ケース５及び上ケース６の内側に向かって移動する際に障害となる部材がなく、転写ヘッドカバー１に設けられた係合突起１ＡＡが転写ヘッド４に設けられた係合溝４Ａに係合するまで、転写ヘッドカバー１は移動可能となっている。このため、図３の状態よりもさらに、転写ヘッドカバー１を前方側へ移動し図４の状態にすることにより、転写ヘッドカバー１の後方側端部が下ケース５及び上ケース６の外側に向かって移動すると、支軸１ＢＡが回転中心となって転写ヘッドカバー１が回転する。転写ヘッドカバー１が回転することにより、転写ヘッドカバー１の支軸１ＢＡより前方側は、下ケース５及び上ケース６の内側に向かって移動する。転写ヘッドカバー１の支軸１ＢＡより前方側が、下ケース５及び上ケース６の内側に向かって移動することにより、転写ヘッドカバー１の前端部に設けた前部カバー１Ａは転写ヘッド４に近づく方向へ移動して、転写ヘッド４の先端部の前方を覆うとともに、転写ヘッドカバー１に設けられた係合突起１ＡＡが転写ヘッド４に設けられた係合溝４Ａに係合する。塗膜転写具Ａの前部カバー１Ａは転写ヘッド先端部の前方だけでなく、両側方向も覆うことができる形状となっているため、転写ヘッドの先端部をより確実に覆って保護することができる。
【００３９】
転写ヘッドカバー１が図３の状態から図４の状態になると、転写ヘッドカバー１の摺動軸１ＢＢは、摺動溝５Ａ、６Ａの外側の壁５Ｄ及び／又は６Ｄの前方へ移動する。このため、摺動溝５Ａ、６Ａの外側の壁５Ｄ及び／又は６Ｄにより、転写ヘッドカバー１は後方側へと移動できないようになる。したがって、転写ヘッドカバー１が図４の状態になると、転写ヘッドカバーは、転写ヘッド４に設けられた係合溝４Ａと、摺動溝５Ａ、６Ａの外側の壁５Ｄ及び／又は６Ｄの２箇所で固定された状態となるため、例えば、塗膜転写具Ａを転写ヘッドカバー１側から、誤って落下させてとしても、転写ヘッドカバー１は転写ヘッド４から簡単に外れることがない。
【００４０】
塗膜転写具Ａが図４の状態であるときに、使用者が転写ヘッドカバー１の指掛部１Ｃに指を当て、支軸１ＢＡよりも後方側に力が作用するように、転写ヘッドカバー１を押圧すると、転写ヘッドカバー１の支軸１ＢＡよりも後方側は弾性変形し、図５に示すような形状となる。転写ヘッドカバー１が弾性変形することにより、摺動軸１ＢＢが干渉する壁５Ｄ及び／又は６Ｄがない部分まで移動する。
【００４１】
一方、転写ヘッドカバー１の支軸１ＢＡよりも前方側は、使用者が転写ヘッドカバー１の指掛部１Ｃに指を当て、支軸１ＢＡよりも後方側に力が作用するように、転写ヘッドカバー１を押圧すると、支軸１ＢＡを中心として回転し、前部カバー１Ａが転写ヘッド４の先端を覆わなくなるとともに、前部カバー１Ａの係合突起１ＡＡと転写ヘッド４の係合溝４Ａの係合が解除される。このように、使用者が転写ヘッドカバー１の指掛部１Ｃに指を当て、支軸１ＢＡよりも後方側に力が作用するように、転写ヘッドカバー１を押圧することにより、摺動軸１ＢＢが干渉する壁５Ｄ及び／又は６Ｄがない部分まで移動するとともに、前部カバー１Ａの係合突起１ＡＡと転写ヘッド４の係合溝４Ａの係合が解除して、スライド板１Ｂのスライド時に前部カバー１Ａが転写ヘッド４と干渉しない位置まで移動されるので、転写ヘッドカバー１が後方へスライド移動可能となる。
【００４２】
転写ヘッドカバー１を後方へ少し移動すると、転写ヘッドカバー１に設けられた突起部１ＢＣが、下ケース５及び／又は上ケース６に設けられている転写ヘッドカバー１の突起部１ＢＣと干渉する壁５Ｃ及び／又は６Ｃがない位置に到達し、転写ヘッドカバー１の弾性変形が解消される。転写ヘッドカバーの弾性変形が解除されるので、この状態で転写ヘッドカバーへの押圧を解除しても、転写ヘッドカバー１の支軸１ＢＡよりも前方の部分が、転写ヘッド４側へ移動することはない。
【００４３】
転写ヘッドカバー１をさらに後方へ移動すると、転写ヘッドカバー１が弾性変形して、転写ヘッドカバー１の摺動軸１ＢＢが下ケース５の係合軸５Ｂ、上ケースの係合軸６Ｂを乗り越え、摺動軸１ＢＢが係合軸５Ｂ、係合軸６Ｂと係合して、再び、図１に示すように、後方で転写ヘッドカバー１が仮固定された状態となる。
【００４４】
このように、本発明の塗膜転写具Ａでは簡単な構造の転写ヘッドカバー１を簡単な操作で、スライド移動させることができるので、耐久性に優れ、スムースに開閉することができる転写ヘッドカバーを提供することができる。
【符号の説明】
【００４５】
１：転写ヘッドカバー
１Ａ：前部カバー
１ＡＡ：係合突起
１Ｂ：スライド板
１ＢＡ：支軸
１ＢＢ：摺動軸
１ＢＣ：突起部
１ＢＣＡ：傾斜面
１Ｃ：指掛部
２：繰出コア
３：巻取コア
４：転写ヘッド
４Ａ：係合溝
５：下ケース
５Ａ：摺動溝
５Ｂ：係合軸
５Ｃ：突起部１ＢＣと干渉する壁（摺動溝５Ａ内側の壁）
５Ｄ：摺動溝５Ａの外側の壁
５Ｅ：摺動溝５Ａの外側の壁がない空間
６：上ケース
６Ａ：摺動溝
６Ｂ：係合軸
６Ｃ：突起部１ＢＣと干渉する壁（摺動溝６Ａ内側の壁）
６Ｄ：摺動溝６Ａの外側の壁
６Ｅ：摺動溝６Ａの外側の壁がない空間
７：ベルト
Ａ：塗膜転写具
Ｔ：転写テープ
【図１】
2020089982.tif 000003
【図２】
2020089982.tif 000004
【図３】
2020089982.tif 000005
【図４】
2020089982.tif 000006
【図５】
2020089982.tif 000007